(57)【要約】【課題】小型ロクロの上に簡単にセットすることで、大型ロクロと同様の機能を有するロクロ用回転テーブルを得る。【解決手段】円筒形の容器を、該容器の径よりやや大きい径の底板と天板で挟持し、該底板の上面外周には容器を固定するための複数の突起を、下面には既設の小型ロクロの回転テーブルに固定するための複数の突起を設け、天板下面外周には天板を容器に固定するための複数の突起を設けることにより、大型ロクロと同様の機能を有するロクロ用回転テーブルとする。【選択図】図１
2005343158.tif 000002
【特許請求の範囲】
【請求項１】
円筒形の容器を、該容器の径よりやや大きい径の底板と天板で挟持し、該底板の上面外周には容器を固定するための複数の突起を、下面には既設のロクロの回転テーブルに固定するための複数の突起を設け、天板下面外周には天板を容器に固定するための複数の突起を設けてなるロクロ用回転テーブル
【請求項２】
容器が市販のプラスチック製樽である請求項１記載のロクロ用回転テーブル
【請求項３】
容器が塩化ビニール管である請求項１記載のロクロ用回転テーブル
【発明の詳細な説明】
【技術分野】
【０００１】本発明はロクロ用回転テーブル、特に小型のロクロに大型ロクロの機能を付与するためのロクロ用回転テーブルに関する。
【背景技術】
【０００２】
【発明の開示】
【発明が解決しようとする課題】
【０００３】陶芸に欠かせない道具の一つとしてロクロがある。このロクロには動力から分類すると手回しロクロ、蹴りロクロ、電動ロクロがあり、それぞれ用途に応じて大、中、小が用意されている。【０００４】最近の陶芸ブームにより趣味で陶芸に興ずる人も多くなり、これに伴いロクロの需要も増大している。陶芸における成形方法は種々あるが、ロクロ成形は特に重要で有効な成形方法である。ロクロ成形にはかなりの回転力が必要で、一般的には電動ロクロが使用されている。しかし電動ロクロは、趣味の陶芸には成形能力が大規模すぎること、大きな費用がかかること等から、個人で導入するには躊躇せざるを得ない。【０００５】趣味の陶芸には、伝統的な大型の手廻しロクロや蹴りロクロが好適であるが、これらは鋳物やけやきのムク材でできており、重量が４０ｋｇ前後と重く、また値段も５〜２０万円と高価であり、これまた入手には躊躇せざるを得ない状況である。
本発明はこのような状況を打開することを課題とし、小型ロクロに大型ロクロの機能を付与し、しかも安価で、移動も簡単な特殊なロクロ用回転テーブルを提供するものである。
【課題を解決するための手段】
【０００６】本発明は、円筒形の容器を、該容器の径よりやや大きい径の底板と天板で挟持し、該底板の上面外周には容器を固定するための複数の突起を、下面には既設のロクロの回転テーブルに固定するための複数の突起を設け、天板下面外周には天板を容器に固定するための複数の突起を設けてなるロクロ用回転テーブルである。
【発明の効果】
【０００７】本発明によれば、小型ロクロの回転テーブルの上に設置するだけで、大型ロクロの機能を有するロクロとなり、しかも安価で、移動も容易という効果を有する。
【発明を実施するための最良の形態】
【０００８】以下、本発明を添付図面により具体的に説明するが、本発明はこれら実施例に限定されるものではない。
【実施例】
【０００９】図１、図２は本発明のロクロ用回転テーブルの縦断面図であり、図１は容器２として塩化ビニール製管を用いた例、図２は容器２として市販のプラスチック製タルを用いた例を示す。また図３は底板３の上面図である。【００１０】ロクロ用回転テーブル１は円筒形の容器２を、該容器の径よりやや大きい径の底板３と天板４で挟持し、底板３の上面外周には容器を固定するための複数の突起５を、下面には底板３を既設のロクロの回転テーブル６に固定するための複数の突起７を設ける。天板４の下面外周には天板４を容器２に固定するための複数の突起８を設けてなる。容器２は市販のプラスチック製タルや塩化ビニール製の管であり、直径３０〜５０ｃｍ、高さ２０〜４０ｃｍのものが好適である。なお９は安定的な回転を持続させるために収容されるバラストであり、小砂利を示す。バラストとしては小砂利、砂等が好適に用いられる。【００１１】底板３は、容器の径よりもやや大きい径の板であり、木、プラスチック、金属等材質は限定されないが、加工の容易性等から木製が好適である。図３は底板３の上面図であるが、外周には容器を固定するための複数の突起５を固着する。この突起５は容器２を底板３に載置したときに、容器２の中心線（回転軸）が底板３の中心線に重なる様に設ける。またその位置がずれないようにするために少なくとも３個設ける。
突起の他の例としては、容器の底部を取り囲む様な円形の突起でもよく、半円形の突起を容器底部の両側から挟むように設置してもよい。またこの突起５は図１では容器２に接する様に設けられているが、内側に接する様に設けてもよい。下面には小型ロクロの回転テーブル６に嵌合固定させるための突起７を突起５と同様に設けられる。なお、容器２として塩化ビニール管を使用し、塩化ビニール管と底板３を固着すれば、上面の突起５は不要である。【００１２】天板４は陶芸の作業台となるものであり、上面が平らであれば材質は問わない。天板４下面には底板上面の突起５と同様に、天板４を容器に固定するための複数個の突起８が設けられる。なお容器２として、プラスチック製タルを用いる場合、天板４が容器内に嵌合されるような構造であれば、突起８は不要である。
いずれにしても天板４は容器２と一体となって回転することが肝要であり、容器２と天板４はしっかりと固定することが必要である。
また、天板４外周端部には、適宜の穴９を設ける。この穴９はロクロ用回転テーブル１を回転させるためのもので、この穴に棒を差し込み、石臼を回転させる要領で回転させる。【００１３】次に、図１に示すロクロ用回転テーブルのセットの方法と使用法を説明する。
まず、既設の小型ロクロの回転テーブルに底板を嵌合し、その上に塩化ビニール管を載置する。次いで塩化ビニール管の内部にバラストとして小砂利等を収容する。容器が直径４０ｃｍ、高さ３０ｃｍの塩化ビニール管の場合、バラストとして３分砂利を用いたときのバラスト重量は約６０ｋｇであった。なお使用するバラストの量は適宜加減すればよい。
次いで、塩化ビニール管上部に天板を載置し、セット完了となる。【００１４】使用方法は、天板上に陶土を載せ、天板上に設けた穴に棒を差し込み、この棒を円周方向に回すことによって、ロクロ用回転テーブルを回転させる。２〜３回手回しすることにより、バラストの重みでロクロ用回転テーブルの回転は相当時間回転を持続する。回転速度が遅くなったら、上記と同様に手回しを繰り返せばよい。
【産業上の利用可能性】
【００１５】詳述したように、本発明は簡単に、しかも安価に小型ロクロに大型ロクロの機能を付与することができるロクロ用回転テーブルであって、陶芸に興ずる人にとって有意義な発明である。
【図面の簡単な説明】
【００１６】
【図１】    本発明のロクロ用回転テーブル（塩化ビニール管使用）の縦断面図である。
【図２】    本発明のロクロ用回転テーブル（プラスチック製タル使用）の縦断面図である。
【図３】    底板の平面図である。
【符号の説明】
【００１７】１  ロクロ用回転テーブル
２  容器
３  底板
４  天板
５  底板上面突起
６  既設小型ロクロの回転テーブル
７  底板下面突起
８  天板突起
９  バラスト
１０  穴
【図１】
2005343158.tif 000003
【図２】
2005343158.tif 000004
【図３】
2005343158.tif 000005